(57)【特許請求の範囲】
【請求項１】
ショーケース本体の前面が開口する陳列室内に商品陳列用の棚板及びデッキパンを備えたショーケースにおいて、
前記陳列室の前記開口を前後に開閉する扉と、
前記扉を開閉自在に支持するヒンジ機構と、
前記扉と前記開口を形成している前記ショーケース本体とを連結するステーとを備え、
前記ステーは、ステー枠と、ステー可動部材とで構成され、
前記ステー可動部材は長手方向に開口するＵ字状の凹部を有する連結解除部を備え、弾性材料で形成され弾性変形することにより前記凹部に嵌る保持壁を有するステー連結部材を介して前記扉に保持され、前記連結解除部のツメ部が前記保持壁の先端部に係止されることにより、前記連結解除部が前記ステー連結部材に対して一定の力で保持され、
前記ステーは、前記扉に開放方向に前記一定の力以上の所定の圧力が加わった場合に前記扉と前記ショーケース本体との連結を解除する、
ことを特徴とするショーケース。
【請求項２】
前記ステーは、前記扉が開放方向に所定角度開かれた状態で前記扉を固定する固定機構を備える
ことを特徴とする請求項１に記載のショーケース。
【請求項３】
前記固定機構は、前記ステー枠に設けられるストッパと、前記ステー可動部材に設けられるストッパ保持部とからなる
ことを特徴とする請求項２に記載のショーケース。
【請求項４】
前記ストッパ保持部は、扉の開き角度に応じて複数設けられている
ことを特徴とする請求項３に記載のショーケース。
【発明の詳細な説明】
【技術分野】
【０００１】
本発明は、ショーケースに関する。さらに詳しくは、陳列室の開口を開閉自在に開閉する扉を備えるショーケースに関する。
【背景技術】
【０００２】
従来、オープンショーケースでは、陳列室が断熱壁の内部に構成されており、陳列室の前面を開口させることで、商品の取り出し、商品の補充等を行うものが知られている（例えば、特許文献１参照）。
【先行技術文献】
【特許文献】
【０００３】
【特許文献１】特開２０１２−１６１３４５号公報
【発明の概要】
【発明が解決しようとする課題】
【０００４】
しかしながら、近年、陳列室の開口に、前後に開閉自在の扉を備えるショーケースが開発されている。このような扉を備えるショーケースの場合、顧客がショーケー内の商品を取り出す際に、扉を押さえる煩雑さを解消するため、例えば９０度など、扉が所定角度まで開かれた場合に扉を開放状態で一時固定することが考えられる。
しかしながら、このように扉が所定角度に一時固定されたままの状態で、不意に扉に所定角度以上に開こうとする力が加わるなどした場合、扉やステーに負担をかけ扉装置の耐久性を損なうおそれがある。
本発明は、上述した事情に鑑みてなされたものであり、ショーケース内の商品の出し入れをスムーズに行うことのできる、前後に開閉自在の扉を備えるショーケースを提供することを目的とする。
【課題を解決するための手段】
【０００５】
上記目的を達成するために、本発明は、ショーケース本体の前面が開口する陳列室内に商品陳列用の棚板及びデッキパンを備えたショーケースにおいて、前記陳列室の前記開口を前後に開閉する扉と、前記扉を開閉自在に支持するヒンジ機構と、前記扉と前記開口を形成している前記ショーケース本体とを連結するステーとを備え、前記ステーは、ステー枠と、ステー可動部材とで構成され、前記ステー可動部材は長手方向に開口するＵ字状の凹部を有する連結解除部を備え、弾性材料で形成され弾性変形することにより前記凹部に嵌る保持壁を有するステー連結部材を介して前記扉に保持され、前記連結解除部のツメ部が前記保持壁の先端部に係止されることにより、前記連結解除部が前記ステー連結部材に対して一定の力で保持され、前記ステーは、前記扉に開放方向に前記一定の力以上の所定の圧力が加わった場合に前記扉と前記ショーケース本体との連結を解除する、ことを特徴とする。
【０００６】
また、本発明は、前記ステーは、前記扉が開放方向に所定角度開かれた状態で前記扉を固定する固定機構を備えることを特徴とする。
【０００７】
また、本発明は、前記ステーは、ステー枠と、前記ステー枠に対して摺動自在に嵌合するステー可動部材とを備え、前記固定機構は、前記ステー枠に設けられるストッパと、前記ステー可動部材に設けられるストッパ保持部とからなることを特徴とする。
【０００９】
また、本発明は、前記ストッパ保持部は、扉の開き角度に応じて複数設けられていることを特徴とする。
【００１０】
また、本発明は、前記連結解除部材は、弾性材料で形成されていることを特徴とする。
【発明の効果】
【００１１】
本発明によれば、ショーケース本体の前面が開口する陳列室内に商品陳列用の棚板及びデッキパンを備えたショーケースにおいて、前記陳列室の前記開口を前後に開閉する扉と、前記扉を開閉自在に支持するヒンジ機構と、前記扉と前記開口を形成している前記ショーケース本体とを連結するステーとを備え、前記ステーは、前記扉に開放方向に所定の圧力が加わった場合に前記扉と前記ショーケース本体との連結を解除する連結解除部を備えたため、例えばショーケース内の商品の入れ替えの際、不意に扉を所定角度以上に開こうとする力が加わるなどしても、前記扉と前記開口との連結が解除され、前記扉は固定されたままとはならず、ショーケース内の商品の入れ替えをスムーズに行うことのできる、前後に開閉自在の扉を備えるショーケースを提供できる。
【図面の簡単な説明】
【００１２】
【図１】本発明の実施形態に係るショーケースの縦断面図である。
【図２】本発明の実施形態に係るショーケースの正面図である。
【図３】図２に示すＷ部分のヒンジ機構の断面図である。
【図４】図１に示すＶ部分の拡大図である。
【図５】ステーを示す図であり、（Ａ）はステーの上面図、（Ｂ）はステーの側面図、（Ｃ）は（Ａ）に示すステーのＡ−Ａ部分の断面図、（Ｄ）は（Ｃ）に示すステーのＢ−Ｂ部分の断面図である。
【図６】図２に示すＷ部分を、扉装置を開いた状態で上面から見た場合の斜視図である。
【図７】本発明の第２実施形態を示した図であり、図７（Ａ）はステーの側面図、図７（Ｂ）は図７（Ａ）に示すステーのＣ−Ｃ部分の断面図である。
【図８】本発明の第３実施形態に係るショーケースの縦断面図である。
【図９】本発明の第３実施形態に係るショーケースの正面図である。
【図１０】図９に示すＸ部分のヒンジ機構の断面図である。
【図１１】図９に示すＹ部分のヒンジ機構の断面図である。
【図１２】図９に示すＺ部分のヒンジ機構の詳細図である。
【発明を実施するための形態】
【００１３】
＜第１実施形態＞
以下、図面を参照して本発明の実施形態について説明する。
図１は、本発明の実施形態に係るショーケース１の縦断面図である。
ショーケース１は、所謂縦型のオープンショーケースに、前後に開閉自在に開閉する扉装置３０を取り付けたものであり、コンビニエンスストアやスーパーマーケット等の店舗内に据え付けられる。
【００１４】
ショーケース１は、ショーケース本体５と、前面が開口する側面視において断面形状略コ字状の断熱壁２と、断熱壁２の内側に断熱壁２と間隙を形成するように取り付けられる仕切板４と、仕切板４と断熱壁２との間に形成されるダクト６とを備えている。
【００１５】
仕切板４の下端には、底板７が連続して取り付けられており、これら仕切板４及び底板７の内側には、前方に開口１４を有する陳列室８が設けられている。陳列室８内には、背部の支柱（図示せず）に着脱自在に取り付けられる一対のブラケット１１と、このブラケット１１に保持された棚板１２が複数段架設されている。底板７上には、デッキパン１３が取り付けられ、これらの棚板１２及びデッキパン１３の上には、商品が陳列される構成とされている。
【００１６】
仕切板４の上部前端縁には、下方に開放する冷気吐出口１７が形成されている。この冷気吐出口１７は、ダクト６に連通している。また、底板７の前端部分には、複数の冷気吸込口１８が形成された冷気吸込部材２８が取り付けられている。この冷気吸込部材２８は、ダクト６に連通している。また、仕切板４の後側のダクト６内には、冷却装置の冷却器２１が配設されており、底板７の下方のダクト６内には、送風機１９が設置されている。
【００１７】
冷却器２１が運転されるとともに、送風機１９が運転されると冷却器２１と熱交換した冷気がダクト６内を上昇し、冷気吐出口１７より陳列室８内に向けて吐出される。陳列室８に吐出された冷気は冷気吸込口１８より吸い込まれる。そのため、陳列室８の開口１４には冷気エアーカーテンが形成され、この冷気エアーカーテンの一部が陳列室８内に循環される。なお、仕切板４には図示しない冷気吹出口が形成されており、冷気エアーカーテンの一部とこれら冷気吹出口から吹き出される冷気によって陳列室８内は所定温度に冷却される。
【００１８】
ショーケース本体５の上部前端には開口１４の幅方向に延在するキャノピー２２が取り付けられており、キャノピー２２は、断熱壁２の一部を構成する。このキャノピー２２の内側には陳列室８内を照明する照明灯２３が設けられている。キャノピー２２の前側には上パネル２４が取り付けられており、この上パネル２４には陳列室８内の温度を表示するための温度計２６が取り付けられている。
【００１９】
このキャノピー２２と上パネル２４との間には、冷気吐出口１７より前側に外層吐出口２５が形成されている。この外層吐出口２５からは外層用送風機２９によって矢印Ｅの方向に外気が開口１４に向けて吐出される。この外気は、冷気吐出口１７から吐出される冷気エアーカーテンの外側に、保護用のエアーカーテンを形成する。
【００２０】
一方、断熱壁２の下側前壁２Ｃには、冷気吸込部材２８の前側にハンドレール２７が取り付けられて断熱壁２の一部となり、開口１４の下縁を構成している。このハンドレール２７の上面は陳列室８の内側に向かって低く傾斜しており、そこにドレン案内部２７Ａが形成されている。
【００２１】
また、図４に示すように、ハンドレール２７は、扉３１の下側に位置しており、その上面のドレン案内部２７Ａは、扉３１の外面に生じた結露水を受けることができるよう構成されている。このドレン案内部２７Ａで受けた結露水は、ドレン案内部２７Ａの傾斜によって後方へと流れ、底板７の下方のダクト６内に流入し、他のドレン水とともに処理される。
ここで、外層吐出口２５から吐き出された外気は扉３１の外面に吹き付けられるので、結露水の発生は抑制される。もっとも、湿度の高い季節や場所等の環境的に厳しい条件で結露水が生じた場合には、上述したドレン案内部２７Ａにより処理される。
【００２２】
つぎに、扉装置３０について説明する。
図２は、ショーケース１の正面図である。
本実施の形態では、前後に開閉自在に構成されている扉装置３０がショーケース１の開口１４に左右に二組取り付けられている。
扉装置３０は、ショーケース本体５の開口１４に取付けられる枠状のフレーム２０と、ガラス板で構成されフレーム２０の内側に配置される一対の扉３１、３１と、これらの扉３１、３１を回動自在に支持するヒンジ機構３２と、フレーム２０とヒンジ機構３２とをつなぐステー７０とから構成されている。
【００２３】
図３は、図２に示すＷ部分のヒンジ機構３２の断面図である。
ここでは、扉３１の上側のヒンジ機構３２について説明するが、ヒンジ機構は、扉３１の下側にも設けられており、上下のヒンジ機構により、扉３１は前後に開閉される。なお、上下のヒンジ機構は上下対称に構成されているため、ここでは、上側のヒンジ機構３２について説明する。
【００２４】
ショーケース１のフレーム２０の右端部上面には、支持孔２０Ａが形成されており、この支持孔は、フレームの上面部分がわずかに大径となるように段状に形成されている。
ヒンジ機構３２は、ヒンジ部材１１１と、軸受部材３８とから構成されている。
ヒンジ部材１１１は、扉３１を保持する扉保持部材１００と、この扉保持部材１００から略垂直に立ち上がる回動軸３６とを備えている。
【００２５】
軸受部材３８には、回動軸３６が挿入される貫通孔を備える軸受部３７が形成されている。この軸受部３７は、軸受部材３８の上面より上方に突出するように形成されており、軸受部３７の外径３７Ａは、支持孔２０Ａの下方の内径とほぼ同様に形成されている。
ヒンジ部材の回動軸３６は、フレーム２０の支持孔２０Ａに軸受部材３８を取り付けた場合に、回動軸３６の上端部が支持孔２０Ａの上部まで達する高さに形成されている。この回動軸３６の上端部の周面には、周方向に延在する切り込み３３が設けられ、この切り込み３３にはＣリング３９が係合されている。このＣリング３９の外径３９Ａは、軸受部３７の外径３７Ａよりも小さく形成されている。
【００２６】
また、軸受部材３８の先端部３４には、２箇所のねじ孔４３が設けられており、軸受部材３８は、ねじ３５、３５により、ねじ孔４３を介して軸受部材３８の下側からフレーム２０の上枠の下面にねじ止めされている。
【００２７】
このヒンジ機構３２は、まず軸受部材３８に回動軸３６が挿入され、この状態で、回動軸３６の上端部にＣリング３９が係合される。この状態で、軸受部材の軸受部３７をヒンジ部材の回動軸とともにフレーム２０の支持孔２０Ａに挿入し、ねじ３５をねじ孔４３を介して螺合させることで、軸受部材３８が、フレーム２０の上枠の下面に固定される。このとき、回動軸３６の上端部は、フレーム２０の上枠の支持孔２０Ａに突出している。
ここで、Ｃリング３９の外径３９Ａが、軸受部３７の外径３７Ａよりも小さく形成されているのは、まずＣリング３９を回動軸３６の上端部に固定した状態で、回動軸３６をフレーム２０の上枠の支持孔２０Ａに挿入するためである。
【００２８】
このヒンジ機構３２の構成によれば、仮に扉３１の下側のヒンジ機構がショーケース１から外れた場合にも、Ｃリング３９が軸受部３７の上面に当接することでヒンジ部材が下側に落下することを防止できる。
なお、本実施の形態では、回動軸３６の上端部にＣリングを用いたが、Ｅリングを用いてもよいし、回動軸３６の上端部にねじを切ってねじを用いてもよい。
【００２９】
扉３１は、正面視で略長方形状のガラス板で構成されており、扉３１のうち、ヒンジ機構３２が取り付けられる支持側の上部は、扉保持部材１００と固定されている。扉保持部材１００には、下方向に開口する断面形状コ字状の溝１１０（図６参照。）が形成されており、扉は、溝１１０に扉３１の上部が嵌め込まれた状態でねじ１０６を介して固定される。なお、扉３１のうち、ヒンジ機構３２が取り付けられる支持側の下部も、同様に扉保持部材１００と上下対称な扉保持部材１０１により固定されている。
扉３１の非支持側には、取っ手４９が取り付けられている。
なお、本実施の形態では、扉３１に透明なガラス板を用いたが、必ずしも透明なガラス板に限られるものではなく、例えばアクリル板など、他の素材を用いることも可能である。
【００３０】
以上の構成で、扉３１を閉じた状態（図１）では、扉３１は冷気吐出口１７及び冷気吸込口１８より前側に位置し、且つ、図１に示すように扉３１は外層吐出口２５及びそれにより形成される保護用のエアーカーテンより後側（内側）に位置する。
そのため、扉３１を冷気吐出口１７及び冷気吸込口１８より前側であって、外層吐出口２５より後側に配置しているので、冷気吐出口１７と冷気吸込口１８によって形成されている冷気エアーカーテンによって陳列室８内を支障なく冷却することができると共に、外層吐出口２５から吐出される保護用のエアーカーテンの空気が陳列室８内に侵入する不都合を防止できる。また、保護用のエアーカーテンは扉３１の外面に吹き付けられることになるので、扉３１外面への結露水の発生も抑制することができる。
【００３１】
図４は、図１に示すＶ部分の拡大断面図である。
フレーム２０には、下フレーム２０Ｂが設けられている。この下フレーム２０Ｂは、基部２０Ｂ−１と、基部２０Ｂ−１から立ち上がる立ち上がり部２０Ｂ−２とから構成されている。立ち上がり部２０Ｂ−２と扉保持部材１００との間には、パッキン１１５が設けられている。
また、下フレーム２０Ｂの後端下部であり、基部２０Ｂ−１と立ち上がり部２０Ｂ−２との間には、扉装置３０から下フレーム２０Ｂに流れる結露水を庫内側に導くための排水路である結露水排水口２００が形成されている。この結露水排水口２００は、図２に示すように、ショーケース１の正面視では、下フレーム２０Ｂのうち、各扉３１の中央部の下方に１ヶ所ずつ形成されている。
なお、結露水排水口２００は、各扉３１ごとに複数形成されてもよいし、各扉装置３０ごとに１ヶ所形成されてもよい。結露水排水口２００を形成する箇所および個数は、適宜に変更が可能である。
また、結露水排水口２００は、下フレーム２０Ｂの前端部から後方にかけて下り傾斜する傾斜部を形成してもよい。係る傾斜部を形成することで結露水が結露水排水口２００に流れ込むことを促すことができる。
また、本実施の形態では、結露水排水口２００を下フレーム２０Ｂの後端下部であり、基部２０Ｂ−１と立ち上がり部２０Ｂ−２との間に形成したが、基部２０Ｂ−１を貫通する貫通穴を結露水排水口として形成するなど、結露水排水口を他の形態とすることも可能である。
【００３２】
庫内側を後方、扉３１側を前方とすると、扉３１の前面、および扉３１の後面に発生した結露水は、基部２０Ｂ−１の前方側の上面に溜まる。図４に矢印Ｆで示したように、基部２０Ｂ−１の前方側の上面に溜まった結露水は、結露水排水口２００を通り、冷気吸込部材２８と基部２０Ｂ−１の後方との隙間を通ってダクト６に流れ落ち、底板７の下方の排水口（不図示）に集められ、他のドレン水とともに処理される。
【００３３】
本実施の形態によれば、扉装置３０にフレーム２０を備えた場合にも、扉３１の内側に結露した結露水を円滑に底板７の下方の排水口（不図示）に送ることができる。
【００３４】
図５は、ステー７０を示す図であり、（Ａ）はステー７０の上面図、（Ｂ）はステー７０の側面図、（Ｃ）は（Ａ）に示すステー７０のＡ−Ａ部分の断面図、（Ｄ）は（Ｂ）に示すステー７０のＢ−Ｂ部分の断面図である。また、図６は、図２に示すＸ部分を、扉装置３０を開いた状態で上方から見た場合の斜視図である。
ステー７０は、フレーム２０の上枠の下面と扉３１の上縁に固定される扉保持部材１００とを連結する部材である。扉保持部材１００のうちステー７０と連結する側には、ステー７０と連結するステー連結部材８８が回動自在に取り付けられている。ステー７０は、扉保持部材１００のステー連結部材８８に連結されている。
なお、本実施の形態では、扉３１の上部にステーを設けたが、扉３１の下部にステーを設けることも可能であるし、扉３１の上部、下部の双方にステーを設けることも可能である。
【００３５】
ステー７０は、平面形状が長尺の平板状で内部が中空とされたステー枠７１と、このステー枠７１の内側に摺動自在に挿入された長尺のステー可動部材７２とから構成されている。
【００３６】
ステー枠７１には、一端部側にステー枠７１とフレーム２０の上枠の下面とを連結するフレーム連結部７３が設けられている。フレーム連結部７３には、連結孔７４が形成されている。ステー枠７１は、フレーム連結部７３の下側から、ねじ７５によりフレーム２０の上枠の下面にねじ止めされることで、フレーム２０に対して回転自在に取り付けられている。
【００３７】
ステー枠７１のステー可動部材７２の入口７６側には、ステー枠７１の上方から、ストッパ機構７８が、四隅をねじ止めされることで取り付けられている。ストッパ機構７８は、ステー枠７１に対してステー可動部材７２を固定するための内部が中空とされ上方が開放されたストッパ部７９と、ストッパ部７９の内部に収納されストッパ部７９をステー可動部材７２の方向に付勢するばね８０とを備えている。
【００３８】
ステー可動部材７２は、ステー枠７１の内部を摺動自在に移動することで、扉３１の開閉をサポートするものである。ステー可動部材７２の幅方向の中央部には、図５（Ｃ）、図５（Ｄ）に示すように、ステー可動部材７２の長さ方向にかけてストッパ部７９が摺動可能な幅で構成される摺動溝８１が設けられている。
また、ステー可動部材７２の摺動溝の長手方向の延長上には、ストッパ部７９が係合する大きさを備えた７５度保持部（ストッパ保持部）８２と９０度保持部（ストッパ保持部）８３とが設けられている。７５度保持部８２と９０度保持部８３とは、ストッパ保持部を形成している。また、ストッパ機構（ストッパ）７８と、ストッパ保持部とは、固定機構９８を形成している。
９０度保持部８３よりも奥側には、摺動溝８１のような溝や、９０度保持部８３のような保持部は設けられていない。ステー可動部材７２が９０度保持部８３よりも奥側に延びないように、ストッパ部７９が摺動しない構成とされている。
なお、本実施の形態では、ストッパ保持部として、７５度保持部と９０度保持部との２箇所を設けたが、ストッパ保持部に設けられる保持部の数は必ずしも２箇所に限られるものではないし、保持部を設ける位置も適宜に設定が可能である。
【００３９】
ステー可動部材７２の他端には、図５（Ｄ）に示すように、ステー連結部材８８と連結し、所定以上の圧力がかかるとこの連結を解除する連結解除部８５が設けられている。この連結解除部８５は、９０度保持部８３とストッパ部７９とが係合し、扉３１が９０度の角度で開けられている状態からさらに扉３１を９０度以上に開く方向に力が加わった場合に、ステー可動部材７２とステー連結部材８８との連結を解除するものである。
連結解除部８５の先端部には、平面形状Ｕ字状の凹部８６が形成されており、この凹部８６により、連結解除部８５の先端部は、二股に分かれるように形成されている。連結解除部８５の凹部８６の先端部両側には、凹部８６の内側に突出するツメ８７がそれぞれ形成されている。
【００４０】
図５（Ａ）、図６に示すように、ステー連結部材８８の平面視でほぼ中央部分には、ステー連結部材８８を扉保持部材１００に取り付けるための取付用孔９７が形成されており、ステー連結部材８８は、扉保持部材１００の上側から取付用孔９７を介してねじ９５によりねじ止めされることで、扉保持部材１００に回転自在に取り付けられている。
取付用孔９７の両側には、ステー可動部材７２の長手方向に沿ってステー連結部材８８の先端部分まで延在する保持壁９６が形成されている。ステー連結部材８８の基端側には、ステー可動部材７２の連結解除部８５が挿入される挿入口９１が設けられ、ステー連結部材８８の先端部は、連結解除部８５の凹部の先端部が露出する開口とされている。
そして、ステー可動部材７２の連結解除部８５をステー連結部材８８の挿入口９１から挿入し、凹部８６の底部を取付用孔９７の周面に当接させた状態で、連結解除部８５のツメ８７が保持壁９６の先端部より突出し、連結解除部８５のツメ８７が保持壁９６の先端部に係止されることになり、これにより、連結解除部８５がステー連結部材８８に対して一定の力で保持されるように構成されている。
【００４１】
ここで、本実施形態においては、ステー連結部材８８は、弾性力のある材料で構成されている。このため、連結解除部８５がステー連結部材８８の挿入口９１から挿入される際に、ツメ８７が保持壁９６に当接することになるが、ステー連結部材８８が弾性材料で形成されているので、保持壁９６が内側に撓むことにより、連結解除部８５の挿入を妨げることはない。
なお、本実施の形態では、ステー連結部材８８を弾性材料で構成したが、これとは逆に、例えば、連結解除部８５を弾性力のある素材で構成し、ステー連結部材８８を弾性力のない素材で構成することも可能である。
【００４２】
また、本実施の形態では、ツメ８７を保持壁９６に引っ掛けることでステー可動部材７２とステー連結部材８８とを連結し、ツメ８７を保持壁９６から外すことでステー可動部材７２とステー連結部材８８との連結を解除したが、必ずしもこの実施形態に限られるものではなく、ステー可動部材７２とステー連結部材８８とを連結し、解除できる構成であればよい。
【００４３】
また、ヒンジ機構３２にカム方式の自閉機構を設け、扉３１の開度が９０度未満の場合には閉じる方向に重力で扉３１を回動させる機能を持たせてもよい。この場合にも、扉３１はステーにより所定の保持角度で止まるようにすることで、顧客がショーケース内の商品を取り出す際に扉３１の閉る動作が妨げとならないようにすることができる。
【００４４】
つぎに、本実施形態の作用について説明する。
本実施形態においては、図２に示す扉装置３０の右側の扉３１を手前に開ける場合を例として説明する。
まず、扉が閉じた状態では、図５に示すように、ステー可動部材は、ステー枠の内部に収納された状態であり、ストッパは、摺動溝の連結解除部８５寄りに位置している。
そして、扉３１が手前に開けられると、図６に示すように、扉３１が開くと共にステー７０がフレーム連結部７３を基点に前方に回動する。扉３１が開放する方向に回動する際、ステー可動部材７２は、ステー枠７１の内側から外側へと延出されていき、ストッパ部７９は、摺動溝８１に沿って摺動する。
【００４５】
ストッパ部７９が摺動溝８１の端部まで摺動すると、扉３１の開放動作は一時停止されるが、さらに、扉３１を開放すると、ストッパ部７９に対して摺動溝８１の端部による力が加わり、ストッパ部７９は、ばね８０の付勢力に抗して、上方に移動される。このストッパ部７９の動作により、ストッパ部７９は、ステー可動部材７２の摺動溝８１が形成されていない箇所に乗り上げる。
そして、扉３１を７５度の角度となるまで手前に開けたとき、ステー可動部材７２は、７５度保持部８２がストッパ部７９に対応する位置まで移動し、ストッパ部７９は、ばね８０の付勢力により７５度保持部８２に係合される。このように７５度保持部８２にストッパ部７９が係合すると、扉３１は、７５度の角度で開いたまま、一時的に固定される。
【００４６】
扉３１をさらに手前側に開くと、上述のように、ストッパ部７９が７５度保持部を乗り上げることで、７５度保持部８２とストッパ部７９との係合が解除され、ステー可動部材７２はさらにステー枠７１の外側へと摺動する。
そして、扉３１を９０度の角度となるまで手前に開けたとき、ステー可動部材７２は、９０度保持部８３がストッパ部７９に対応する位置まで移動し、ストッパ部７９は、ばね８０の付勢力により９０度保持部８３に係合される。このとき、扉３１は、９０度の角度で開いたまま、一時固定される。
【００４７】
つぎに、扉３１が９０度の角度まで開かれた後にさらに扉３１を開く方向に力が加わった場合について説明する。
通常、扉３１を９０度の角度まで開けた後は、扉３１は閉められることが想定されている。そのため、扉３１を９０度以上開く方向に開けた場合、図５（Ｃ）、（Ｄ）に示す９０度保持部８３よりもフレーム連結部７３の側には、摺動溝８１のような溝や、９０度保持部８３のようなストッパ保持部は設けられておらず、９０度保持部８３よりもフレーム連結部７３の側にストッパ部７９は移動しない。
扉３１を９０度以上開く方向に所定の圧力が加わった場合には、保持壁９６の先端部に係止された連結解除部８５のツメ８７の係止が解除され、ステー可動部材７２とステー連結部材８８との連結が解除される。
なお、所定の圧力がかかった場合にこれらの連結が解除されるが、この所定の圧力をいかに設定するかは、扉３１の種類や厚さによる個々の耐久強度に応じて、個々に判断することができる。
【００４８】
以上説明したように、本実施の形態によれば次の効果を奏する。
すなわち、本実施の形態では、扉３１を９０度以上の角度の方向に所定の圧力をかけて開けた場合には、連結解除部８５とステー連結部材８８との連結が解除される。
そのため、扉３１を開く方向に所定の圧力が加わった場合にまで扉３１が固定され続けることはなく、扉に触れることを気にせずにショーケース内の商品の入れ替えをスムーズに行うことができる。また、連結解除部８５とステー連結部材８８との連結が解除されるため、必要以上に扉３１に負担をかけることがない。ひいては、扉装置３０の耐久性を向上できる。
【００４９】
また、本実施の形態によれば、ステー７０にストッパ機構７８とストッパ保持部からなる固定機構９８を備え、ストッパ保持部には７５度保持部８２、９０度保持部８３の二ヶ所を設けた。
そのため、扉３１が前方に７５度開かれた状態、もしくは扉３１が前方に９０度開かれた状態で、扉３１を一時固定することができる。
扉３１が７５度に開かれた状態で一時固定されるため、ショーケース１を横並びに複数台設置し、隣接するショーケース１でともに扉３１が開かれた場合にも、取っ手４９どうしが接触しない。
また、扉３１が９０度に開かれた状態で固定されるため、扉３１が、ショーケース１の幅方向を超えて必要以上に開かず、ショーケース１の幅方向以上の広いスペースがない場所にも、ショーケース１を置くことができるコンパクトなショーケース１を提供できる。さらに、扉３１が９０に開かれた状態で一時固定することができるので、陳列室８内の棚板１２を引き出しやすい。
なお、本実施の形態では扉３１を一時固定する角度として７５度と９０度とで２箇所設けたが、２箇所以上の固定位置を設けてもよいし、角度を調整して７５度、９０度以外の角度に扉３１を一時固定できるようにすることもできる。
【００５０】
また、本実施の形態によれば、ステー７０は、ステー枠７１とステー可動部材７２とを備え、ステー可動部材７２はステー枠７１の内部を摺動する。
そのため、扉３１の開閉を円滑に行えるとともに、扉３１を閉じた状態ではステー７０をコンパクトに収納できる。
【００５１】
また、本実施の形態によれば、ステー枠７１の内部を摺動するステー可動部材７２の先端部にツメ８７を設けた連結解除部８５を備えた。
そのため、ステー７０の長さを最大限利用して扉３１の開閉を行うことができ、ステー枠７１にステー可動部材７２が収納された状態でのステー７０を小型化できる。また、摺動自在のステー７０を用いた場合にも、連結解除部８５の先端部のみで連結解除部８５とステー連結部材８８とを連結できる。
【００５２】
また、本実施の形態によれば、７５度保持部８２と、９０度保持部８３の複数のストッパ保持部を備えた。
そのため、扉３１を一時固定することのできる開き角度を複数設けることができる。ショーケース１の使用の便宜に資する。
【００５３】
また、本実施の形態によれば、連結解除部８５は、弾性力を有する材料で形成した。
そのため、連結解除部８５とステー連結部材８８とは、連結解除部８５の弾性力により、連結時には連結し、所定以上の力が加わった場合には、この連結を解除できる。この弾性力を調整することで、どのくらいの力が加わった場合に、連結解除部８５とステー連結部材８８との連結を解除するのかを調整することができる。
【００５４】
また、本実施の形態によれば、枠状のフレーム２０に対し、一対の扉３１、３１と、これらの扉３１、３１を回動自在に支持するヒンジ機構３２と、ステー７０が取り付けられた構成とされている。そのため、例えば、ショーケースの開口部に予めフレーム２０と嵌合する枠を設けおくことで、ショーケースの開口部に後付けで容易に扉を設けることができる。
【００５５】
＜第２実施形態＞
つぎに、本発明の第２実施形態について説明する。
本第２実施形態では、第１実施形態の図５（Ｃ）に示した固定機構９８を、ステー枠１７１の側方に設けるようにしたものである。なお、第２実施形態において、第１実施形態と同様の構成については同一の符号を付し、その説明を省略する。
【００５６】
図７は、図３（Ｂ）、図３（Ｄ）に対応する別実施形態のステー枠１７１とステー可動部材１７２とを示した図であり、図７（Ａ）はステー１７０の側面図、図７（Ｂ）は図７（Ａ）に示すステー１７０のＣ−Ｃ部分の断面図である。
本実施形態によれば、ステー枠１７１の一側面であってステー可動部材１７２が挿入される入口寄りに、ステー枠１７１の側方からステー枠１７１の内側にかけて突出するストッパ１７８を設けるようにしたものである。
ステー枠１７１の一側面には、ストッパ用開口１７５が形成されている。
ストッパ１７８は、ステー枠１７１の側面に固定される板状の基部１８０と、この基部からストッパ用開口１７５を介してステー枠１７１の内部に突出する半円形状のストッパ部１７９とを備えている。基部１８０は、ばね性を有しており、ストッパ部１７９をステー枠１７１の内側方向に向けて付勢するように構成されている。
【００５７】
また、ステー可動部材１７２の側面には、ステー可動部材１７２の長手方向に沿って延在する凹状の摺動溝１８１が設けられている。
また、ステー可動部材１７２の摺動溝１８１の長手方向の延長上には、ストッパ部１７９が係合する大きさを備えた７５度保持部（ストッパ保持部）１８２と９０度保持部（ストッパ保持部）１８３とが設けられている。７５度保持部１８２と９０度保持部１８３とは、ストッパ保持部１９５を形成している。また、ストッパ１７８と、ストッパ保持部１９５とは、固定機構１９８を形成している。
【００５８】
次に、本実施形態の作用について説明する。
まず、扉３１が閉じた状態では、図７に示すように、ステー可動部材１７２は、ステー枠１７１の内部に収納された状態であり、ストッパ１７８は、摺動溝１８１の連結解除部８５寄りに位置している。
そして、扉３１が手前に開けられると、扉３１が開くと共にステー１７０がフレーム連結部７３を基点に前方に回動する。扉３１が開放する方向に回動する際、ステー可動部材１７２は、ステー枠１７１の内側から外側へと延出されていき、ストッパ１７８のストッパ部１７９は、摺動溝１８１に沿って摺動する。
【００５９】
ストッパ部１７９が摺動溝１８１の端部まで摺動すると、扉３１の開放動作は一時停止されるが、さらに、扉３１を開放すると、ストッパ部１７９に対して摺動溝１８１の端部による力が加わり、ストッパ部１７９は、基部１８０の付勢力に抗して、ステー枠１７１の外側に揺動される。このストッパ部１７９の動作により、ストッパ部１７９は、ステー可動部材１７２の摺動溝１８１が形成されていない箇所に乗り上げる。
そして、扉３１を７５度の角度となるまで手前に開けたとき、ステー可動部材１７２は、７５度保持部１８２がストッパ部１７９に対応する位置まで移動し、ストッパ１７８は、基部１８０の付勢力により７５度保持部１８２に係合される。このように７５度保持部１８２にストッパ部が係合すると、扉３１は、７５度の角度で開いたまま、一時的に固定される。
【００６０】
扉３１をさらに手前側に開くと、上述のように、ストッパ部１７９が７５度保持部１８２を乗り上げることで、７５度保持部１８２とストッパ部１７９との係合が解除され、ステー可動部材１７２はさらにステー枠１７１の外側へと摺動する。
そして、扉３１を９０度の角度となるまで手前に開けたとき、ステー可動部材１７２は、９０度保持部１８３がストッパ部１７９に対応する位置まで移動し、ストッパ部１７９は、基部１８０の付勢力により９０度保持部１８３に係合される。このとき、扉３１は、９０度の角度で開いたまま、一時固定される。
さらに扉３１を９０度以上の角度の方向に所定の圧力をかけて開けた場合には、ステー可動部材１７２の連結解除部８５のツメ８７がステー連結部材８８の保持壁９６から外れ、ステー可動部材１７２とステー連結部材８８との連結が解除される。
【００６１】
以上述べたように本実施形態によれば、第１実施形態と同様に、扉３１が前方に７５度開かれた状態、もしくは扉３１が前方に９０度開かれた状態で、扉３１を一時固定することができる。
ステー可動部材１７２に７５度保持部１８２を設けて、扉３１が７５度に開かれた状態で固定されるため、ショーケース１を横並びに複数台設置し、隣接するショーケース１でともに扉３１が開かれた場合にも、扉３１どうしが接触しない状態で一時固定できる。
また、ステー可動部材１７２に９０度保持部１８３を設けて、扉３１が９０度に開かれた状態で固定されるため、扉３１が、ショーケース１の幅方向を超えて必要以上に開かず、ショーケース１の幅方向以上の広いスペースがない場所にも、ショーケース１を置くことができるコンパクトなショーケース１を提供できる。また、扉３１が９０に開かれた状態で一時固定することができるので、陳列室８内の棚板１２を引き出しやすい。
なお、本実施の形態では扉３１を一時固定する角度として７５度と９０度とで２箇所設けたが、２箇所以上の固定位置を設けてもよいし、角度を調整して７５度、９０度以外の角度に扉３１を一時固定できるようにすることもできる。
【００６２】
＜第３実施形態＞
つぎに、本発明の第３実施形態について説明する。
本第３実施形態では、第１実施形態と比較し、枠状のフレーム２０を設けない点で相違している。なお、第３実施形態において、第１、第２実施形態と同様の構成については同一の符号を付し、その説明を省略する。
ショーケース１の陳列室８内の構造、ならびに、冷却器２１を含む冷却機造については第１、第２実施形態と同様であるので、以下に扉装置１３０について説明する。
【００６３】
図８は、本発明の第３実施形態に係るショーケース１５０の縦断面図である。図９は、ショーケース１５０の正面図である。図１０は、図９に示すＸ部分のヒンジ機構３２Ａの断面図である。図１１は、図９に示すＹ部分のヒンジ機構３２Ａの断面図である。図１２は、図９に示すＺ部分のヒンジ機構３２Ａの詳細図である。
第３実施形態では、前後に開閉自在に構成されている扉装置１３０がショーケース１５０の開口１４に左右に二組取り付けられている。
この場合、開口１４の上縁に位置するキャノピー２２の左右端には取付部材３３Ａが前方に突出して取り付けられ、左右方向の中央部にも中央の取付部材３３Ａが前方に突出して取り付けられている。また、各取付部材３３Ａの下方に対応する位置の開口１４の下縁には、キャノピー２２の左右端と中央部に取付部材３３Ｂが取り付けられ、それぞれ前方に突出している。そして、左右の扉装置１３０は中央の取付部材３３Ａ、３３Ｂの左右に並設されるかたちとされている。なお、この場合も棚板１２やデッキパン１３は各扉装置１３０の後方にそれぞれ対応して設けられている。
【００６４】
ヒンジ機構３２Ａは、取付部材３３Ａ、又は、３３Ｂに取り付けられる回動軸３６Ａと、この回動軸３６Ａに回動自在に取り付けられて扉３１の上縁の隅角部、又は、下縁の隅角部を保持する扉保持部材１０２とから成る。なお、ヒンジ機構３２Ａは、扉装置１３０の向かって右側の扉３１の向かって右側の上縁及び下縁の隅角部に取り付けられて当該扉３１を回動自在に枢支し、また、扉装置３３の向かって左側の扉３１の向かって左側の上縁及び下縁の隅角部に取り付けられて当該扉３１を回動自在に枢支することで、前後開き式とする。
なお、ヒンジ機構３２Ａは、回動軸３６Ａの軸線から外れた位置に溝１１０が形成されているが、例えば、第１実施形態のヒンジ機構３２のように、回動軸３６Ａの軸線上の位置に溝１１０が形成されたヒンジ装置を用いることもできる。
【００６５】
本実施形態では、ステー７０は、キャノピー２２の下面２２Ａ（図８、図１０参照）と、扉３１の上縁に固定されるヒンジ機構３２の扉保持部材１０２とを連結している（図９参照）。キャノピー２２の下面には、ステー連結金具１２０が設けられており、このステー連結金具１２０により、ステー７０のステー枠７１は、キャノピー２２の下面２２Ａに回動自在に連結されている。また、ステー７０のステー可動部材７２は、扉保持部材１０２の上面に連結されている。
なお、本実施の形態では、扉３１の上部にステーを設けたが、扉３１の下部にステーを設けることも可能であるし、扉３１の上部、下部の双方にステーを設けることも可能である。
また、本実施の形態では、ステー連結金具１２０をキャノピー２２の下面２２Ａに設けたが、必ずしもこの構成に限らず、例えば、キャノピー２２と上パネル２４が一体してショーケース本体の上枠を形成している場合には、このショーケース本体の上枠にステー連結金具１２０を設けるなど、他の箇所にステー連結金具１２０を設けることもできる。
【００６６】
また、ハンドレール２７も図１１に示すように扉３１の下側に位置しており、その上面のドレン案内部２７Ａは、扉３１の外面に生じた結露水を受けるように構成されている。このドレン案内部２７Ａで受けた結露水は同様にその傾斜によって図１１中に矢印で示すように後方に流れ、冷気吸込部材２８と断熱壁２の下側前壁２Ｃの間を通って、底板７下方のダクト６内に流入して排水口（不図示）に集められ、他のドレン水と共に処理される。なお、同様に外層吐出口２５から吐出された空気は扉３１の外面に吹き付けられるので、結露水の発生は抑制されている。
【００６７】
また、第１実施形態と同様に、ヒンジ機構３２にカム方式の自閉機構を設け、扉３１の開度が９０度未満の場合には閉じる方向に重力で扉３１を回動させる機能を持たせてもよい。この場合にも、扉３１はステーにより所定の保持角度で止まるようにすることで、顧客がショーケース内の商品を取り出す際に扉３１の閉る動作が妨げとならないようにすることができる。
【００６８】
以上説明したように、本実施の形態によれば、ショーケース本体５に取付部材３３Ａ，３３Ｂ、ステー連結金具１２０を設け、取付部材３３Ａ，３３Ｂとステー連結金具１２０を介して、ショーケース本体５に一対の扉３１、３１と、これらの扉３１、３１を回動自在に支持するヒンジ機構３２Ａと、ステー７０とが取り付けられた構成とされている。
そのため、例えば、既存のショーケースであっても、開口部に取付部材３３Ａ，３３Ｂとステー連結金具１２０を設けることで、ショーケース本体５の開口部に後付けで容易に扉を設けることができる。
【００６９】
また、本実施の形態によれば、扉装置１３０にフレームを設ける必要がない。
そのため、製造工程において部品点数を減らせるとともに、製造コストを軽減できる。
【００７０】
また、本実施の形態によっても、第１実施形態と同様に、ステー７０を介して扉３１の開閉を行うため、第１実施形態と同様の効果を得ることができる。
【００７１】
以上、本実施の形態に基づいて本発明を説明したが、本発明はこれらの実施形態に限定されるものではない。あくまでも本発明の実施の態様を例示するものであるから、本発明の趣旨を逸脱しない範囲で任意に変更、及び応用が可能である。
【符号の説明】
【００７２】
１、１１０  ショーケース
５  ショーケース本体
８  陳列室
１２  棚
１３  デッキパン
１４  開口
２０  フレーム
２２  キャノピー
３０、１３０  扉装置
３１  扉
３２  ヒンジ機構
３３Ａ、３３Ｂ  取付部材
３６、３６Ａ  回動軸
３７  軸受部
３８  軸受部材
３９  Ｃリング
７０、１７０  ステー
７１、１７１  ステー枠
７２、１７２  ステー可動部材
７３  フレーム連結部
７８、１７８  ストッパ機構
７９、１７９  ストッパ部
８０  ばね
８１、１８１  摺動溝
８２、１８２  ７５度保持部
８３、１８３  ９０度保持部
８５  連結解除部
８７  ツメ
８８  ステー連結部
９１  嵌合口
９６  保持
９８、１９８  固定機構
１００、１０１、１０２  扉保持部材
１１０  溝
【図１】
0006664110.tif 000002
【図２】
0006664110.tif 000003
【図３】
0006664110.tif 000004
【図４】
0006664110.tif 000005
【図５】
0006664110.tif 000006
【図６】
0006664110.tif 000007
【図７】
0006664110.tif 000008
【図８】
0006664110.tif 000009
【図９】
0006664110.tif 000010
【図１０】
0006664110.tif 000011
【図１１】
0006664110.tif 000012
【図１２】
0006664110.tif 000013